(57)【要約】【課題】  ジョブの処理結果に対するのぞき見や持ち去りの不安を軽減し、利用者が一時的に複写機等のジョブ処理装置の前から離れることができるようにする。【解決手段】  複写機３００は、指示されたジョブに対応するアクセスキーを発行し（ステップＳ１０３）、ジョブを実行する（ステップＳ１０５）。また、複写機３００は、アクセスキーが有効であるか否かの問い合わせをネットワークカメラ４００から受け付けると（ステップＳ１０８）、ジョブが実行中である期間、アクセスキーが有効であると判断する。そして、複写機３００は、その判断結果を、アクセスキーが有効であるか否かに応じて画像データの取得処理を切り替えるネットワークカメラ４００に対して応答する。【選択図】  図５
2009010506.tif 000002
【特許請求の範囲】
【請求項１】
指示されたジョブに対応するアクセスキーを発行する発行手段と、
前記ジョブを実行するジョブ実行手段と、
入力された前記アクセスキーが有効であるか否かの問い合わせを、撮像手段を制御可能な撮像制御装置から受け付ける問い合わせ受付手段と、
少なくとも前記ジョブが実行中である期間、前記アクセスキーが有効であると判断する判断手段と、
前記判断手段の判断結果を、前記アクセスキーが有効であるか否かに応じて前記撮像手段による画像データの取得処理を切り替える前記撮像制御装置に対して応答する応答手段とを有することを特徴とするジョブ処理装置。
【請求項２】
前記ジョブの実行終了の時点から経過した時間を計測するタイマを有し、
前記判断手段は、前記ジョブの実行開始の時点から、前記タイマによって前記ジョブの実行終了の時点から一定時間の経過が計測される時点までの期間、前記アクセスキーが有効であると判断することを特徴とする請求項１に記載のジョブ処理装置。
【請求項３】
アクセスキーを入力する入力手段と、
前記アクセスキーが有効であるか否かを、指示されたジョブを実行するとともに、前記ジョブに対応して前記アクセスキーを発行したジョブ処理装置に対して問い合わせる問い合わせ手段と、
前記アクセスキーが有効であるか否かの問い合わせ結果を、少なくとも前記ジョブが実行中である期間、前記アクセスキーが有効であると判断する前記ジョブ処理装置から受け付ける問い合わせ結果受付手段と、
前記問い合わせ結果に応じて、撮像手段による画像データの取得処理を切り替える制御手段とを有することを特徴とする撮像制御装置。
【請求項４】
前記撮像手段により取得された画像データを、画像データを再生可能な再生装置に対して送信する送信手段を有することを特徴とする請求項３に記載の撮像制御装置。
【請求項５】
ジョブを実行するジョブ処理装置の制御方法であって、
指示されたジョブに対応するアクセスキーを発行する発行ステップと、
前記ジョブを実行するジョブ実行ステップと、
入力された前記アクセスキーが有効であるか否かの問い合わせを、撮像手段を制御可能な撮像制御装置から受け付ける問い合わせ受付ステップと、
少なくとも前記ジョブが実行中である期間、前記アクセスキーが有効であると判断する判断ステップと、
前記判断ステップの判断結果を、前記アクセスキーが有効であるか否かに応じて前記撮像手段による画像データの取得処理を切り替える前記撮像制御装置に対して応答する応答ステップとを含むことを特徴とするジョブ処理装置の制御方法。
【請求項６】
撮像手段を制御可能な撮像制御装置の制御方法であって、
アクセスキーを入力する入力ステップと、
前記アクセスキーが有効であるか否かを、指示されたジョブを実行するとともに、前記ジョブに対応して前記アクセスキーを発行したジョブ処理装置に対して問い合わせる問い合わせステップと、
前記アクセスキーが有効であるか否かの問い合わせ結果を、少なくとも前記ジョブが実行中である期間、前記アクセスキーが有効であると判断する前記ジョブ処理装置から受け付ける問い合わせ結果受付ステップと、
前記問い合わせ結果に応じて、撮像手段による画像データの取得処理を切り替える制御ステップとを含むことを有することを特徴とする撮像制御装置の制御方法。
【請求項７】
指示されたジョブに対応するアクセスキーを発行する発行ステップと、
前記ジョブを実行するジョブ実行ステップと、
入力された前記アクセスキーが有効であるか否かの問い合わせを、撮像手段を制御可能な撮像制御装置から受け付ける問い合わせ受付ステップと、
少なくとも前記ジョブが実行中である期間、前記アクセスキーが有効であると判断する判断ステップと、
前記判断ステップの判断結果を、前記アクセスキーが有効であるか否かに応じて前記撮像手段による画像データの取得処理を切り替える前記撮像制御装置に対して応答する応答ステップとをコンピュータに実行させるためのプログラム。
【請求項８】
アクセスキーを入力する入力ステップと、
前記アクセスキーが有効であるか否かを、指示されたジョブを実行するとともに、前記ジョブに対応して前記アクセスキーを発行したジョブ処理装置に対して問い合わせる問い合わせステップと、
前記アクセスキーが有効であるか否かの問い合わせ結果を、少なくとも前記ジョブが実行中である期間、前記アクセスキーが有効であると判断する前記ジョブ処理装置から受け付ける問い合わせ結果受付ステップと、
前記問い合わせ結果に応じて、撮像手段による画像データの取得処理を切り替える制御ステップとをコンピュータに実行させるためのプログラム。
【発明の詳細な説明】
【技術分野】
【０００１】
本発明は、複写機等のジョブ処理装置の周辺の画像データを取得可能な技術に関するものである。
【背景技術】
【０００２】
コピー作業に関するのぞき見や原稿の持ち去りを防止するための手段として、複写機周辺を撮影し、監視を行うことがある。従来、その方法として、一般の監視カメラを導入する方法が行われている。また、特許文献１には、監視カメラで撮影した映像を記憶し、ジョブ毎に検索することができるシステムが開示されている。
【０００３】
【特許文献１】特開２００５−２６９１０７号公報
【発明の開示】
【発明が解決しようとする課題】
【０００４】
複写機に原稿をセットしてコピーを行う際、原稿や印刷物を見られたり、持ち去られたりすることを防止するために、作業者は、コピーが終了するまでの間、複写機の前で監視をしつつ待っていることが一般的である。しかしこれは、少部数のコピーであれば待ち時間も短いが、部数が多い場合は待ち時間が長くなり、苦痛となる。
【０００５】
一般的な監視カメラを導入する方法では、誰に見られているかわからないという不安が少なからず存在する。機密文書を印刷する場合等では問題は深刻である。また、特許文献１に開示される発明では、映像をジョブ毎に識別可能なデータを付加しているため、映像閲覧に関してジョブ毎に認証等を行うことが可能であると考えられる。しかし、映像データを保存してから検索する手法を採用しているため、ジョブが実行中であるまさにそのときの複写機周辺の映像を見ようとする場合は、別途手段が必要である。
【０００６】
そこで、本発明の目的は、ジョブの処理結果に対するのぞき見や持ち去りの不安を軽減し、利用者が一時的に複写機等のジョブ処理装置の前から離れることができるようにすることにある。
【課題を解決するための手段】
【０００７】
本発明のジョブ処理装置は、指示されたジョブに対応するアクセスキーを発行する発行手段と、前記ジョブを実行するジョブ実行手段と、入力された前記アクセスキーが有効であるか否かの問い合わせを、撮像手段を制御可能な撮像制御装置から受け付ける問い合わせ受付手段と、少なくとも前記ジョブが実行中である期間、前記アクセスキーが有効であると判断する判断手段と、前記判断手段の判断結果を、前記アクセスキーが有効であるか否かに応じて前記撮像手段による画像データの取得処理を切り替える前記撮像制御装置に対して応答する応答手段とを有することを特徴とする。
本発明の撮影制御装置は、アクセスキーを入力する入力手段と、前記アクセスキーが有効であるか否かを、指示されたジョブを実行するとともに、前記ジョブに対応して前記アクセスキーを発行したジョブ処理装置に対して問い合わせる問い合わせ手段と、前記アクセスキーが有効であるか否かの問い合わせ結果を、少なくとも前記ジョブが実行中である期間、前記アクセスキーが有効であると判断する前記ジョブ処理装置から受け付ける問い合わせ結果受付手段と、前記問い合わせ結果に応じて、撮像手段による画像データの取得処理を切り替える制御手段とを有することを特徴とする。
本発明のジョブ処理装置の制御方法は、ジョブを実行するジョブ処理装置の制御方法であって、指示されたジョブに対応するアクセスキーを発行する発行ステップと、前記ジョブを実行するジョブ実行ステップと、入力された前記アクセスキーが有効であるか否かの問い合わせを、撮像手段を制御可能な撮像制御装置から受け付ける問い合わせ受付ステップと、少なくとも前記ジョブが実行中である期間、前記アクセスキーが有効であると判断する判断ステップと、前記判断ステップの判断結果を、前記アクセスキーが有効であるか否かに応じて前記撮像手段による画像データの取得処理を切り替える前記撮像制御装置に対して応答する応答ステップとを含むことを特徴とする。
本発明の撮像制御装置の制御方法は、撮像手段を制御可能な撮像制御装置の制御方法であって、アクセスキーを入力する入力ステップと、前記アクセスキーが有効であるか否かを、指示されたジョブを実行するとともに、前記ジョブに対応して前記アクセスキーを発行したジョブ処理装置に対して問い合わせる問い合わせステップと、前記アクセスキーが有効であるか否かの問い合わせ結果を、少なくとも前記ジョブが実行中である期間、前記アクセスキーが有効であると判断する前記ジョブ処理装置から受け付ける問い合わせ結果受付ステップと、前記問い合わせ結果に応じて、撮像手段による画像データの取得処理を切り替える制御ステップとを含むことを有することを特徴とする。
本発明のプログラムの第１の態様は、指示されたジョブに対応するアクセスキーを発行する発行ステップと、前記ジョブを実行するジョブ実行ステップと、入力された前記アクセスキーが有効であるか否かの問い合わせを、撮像手段を制御可能な撮像制御装置から受け付ける問い合わせ受付ステップと、少なくとも前記ジョブが実行中である期間、前記アクセスキーが有効であると判断する判断ステップと、前記判断ステップの判断結果を、前記アクセスキーが有効であるか否かに応じて前記撮像手段による画像データの取得処理を切り替える前記撮像制御装置に対して応答する応答ステップとをコンピュータに実行させることを特徴とする。
本発明のプログラムの第２の態様は、アクセスキーを入力する入力ステップと、前記アクセスキーが有効であるか否かを、指示されたジョブを実行するとともに、前記ジョブに対応して前記アクセスキーを発行したジョブ処理装置に対して問い合わせる問い合わせステップと、前記アクセスキーが有効であるか否かの問い合わせ結果を、少なくとも前記ジョブが実行中である期間、前記アクセスキーが有効であると判断する前記ジョブ処理装置から受け付ける問い合わせ結果受付ステップと、前記問い合わせ結果に応じて、撮像手段による画像データの取得処理を切り替える制御ステップとをコンピュータに実行させることを特徴とする。
【発明の効果】
【０００８】
本発明においては、例えば利用者によって指定されるアクセスキーは対応するジョブが実行中である期間、有効であると判断され、アクセスキーが有効であるか否かに応じて撮像手段による画像データの取得処理の切り替え制御が行われる。従って、本発明によれば、利用者によって指定されたアクセスキーに対応するジョブが実行中である期間、例えばジョブ処理装置の画像データを取得することが可能となる。よって、本発明は、ジョブの処理結果に対するのぞき見や持ち去りの不安を軽減し、利用者が一時的に複写機等のジョブ処理装置の前から離れることができる。
【発明を実施するための最良の形態】
【０００９】
以下、本発明を適用した好適な実施形態を、添付図面を参照しながら詳細に説明する。
【００１０】
＜第１の実施形態＞
先ず、本発明の第１の実施形態について説明する。
図１は、本発明の第１の実施形態に係るネットワークカメラシステムの構成を示す図である。図１に示すように、本実施形態に係るネットワークカメラシステムは、複写機３００、ネットワークカメラ４００及び映像再生装置５００がそれぞれLocal Area Network（ＬＡＮ）で接続され、互いに通信可能な構成となっている。
【００１１】
次に、図２を用いて複写機３００のモジュール構成について説明する。図２は、複写機３００が複写に関する機能以外に備えるモジュール構成を示す図である。本発明のジョブ処理装置の一構成例である。
【００１２】
図２に示すように、複写機３００は、通信ポート３０１、通信インタフェース３０２、アクセスキー表示部３０４及びアクセス管理部３０３を備える。アクセス管理部３０３は、アクセスキー発行部３０５、アクセスキー有効無効判定部３０６、ジョブ識別子発行部３０７、ジョブ管理部３０８及び状態変更通知部３０９を備える。
【００１３】
通信ポート３０１は、複写機３００をネットワークと繋ぐためのＬＡＮインタフェースである。また、アクセスキー表示部３０４は、ユーザインタフェースとしての情報表示パネルである。
【００１４】
アクセス管理部３０３及び通信インタフェース３０２は、複写機３００のメモリに実装されるソフトウェアモジュールである。
【００１５】
通信インタフェース３０２は、アクセス管理部３０３の情報を、ネットワークを用いて外部から参照可能にするための通信インタフェースである。通信インタフェース３０２は、ＨＴＴＰプロトコル上で実装したインタフェースであり、実装例の詳細を図６に示す。ＨＴＴＰプロトコルを用いて、６０１に示す指定方法でアクセスすることにより複写機３００へのアクセスを実現する。アクセスする側は、ＨＴＴＰリクエストには入力を受け渡し、ＨＴＴＰレスポンスで出力を得る。なお、６０１の指定方法の中の「copy」や「IsActiveKey」等の文字列は、ネットワーク上でインタフェースを指定する一例である。
【００１６】
次に、図３を用いてネットワークカメラ４００のモジュール構成について説明する。図３は、ネットワークカメラ４００が備える機能のうち、カメラ機能である撮影及び映像送出機能以外のモジュールを示す図である。本実施形態におけるネットワークカメラ４００は、映像撮影部及びネットワークを介した映像送出の機能を備えたカメラである。カメラ機能である撮影機能は、本発明における撮像手段の一機能例である。また、その機能以外のネットワークカメラ４００の機能構成は、本発明の撮像制御装置の一構成例である。
【００１７】
通信ポート４０１は、ネットワークカメラ４００をネットワークと繋ぐためのＬＡＮインタフェースである。
【００１８】
アクセス管理部４０６は、アクセスキーの有効無効問い合わせ部４０３、メッセージ受信部４０４及びアクセスキー管理部４０５から構成されるモジュールであり、ネットワークカメラ４００のメモリに実装されるソフトウェアモジュールである。
【００１９】
通信インタフェース４０２は、ネットワークカメラ４００のメモリ内に実装されるソフトウェアモジュールであり、映像再生装置５００から映像要求を受け付けるための通信インタフェースである。
【００２０】
通信インタフェース４０２は、ＨＴＴＰプロトコル上で実装したインタフェースであり、実装例の詳細を図７に示す。ＨＴＴＰプロトコルを用いて７０１に示す指定方法でアクセスすることによりネットワークカメラ４００へのアクセスを実現する。アクセスする側は、ＨＴＴＰリクエストには入力を受け渡し、ＨＴＴＰレスポンスで出力を得る。なお、指定方法７０１の中の「camera」や「GetLive」等の文字列は、ネットワーク上でインタフェースを指定する一例である。
【００２１】
次に、図４を用いて映像再生装置５００のモジュール構成について説明する。図４は、映像再生装置５００のモジュール構成を示す図である。本実施形態の映像再生装置５００は、ＬＡＮで通信可能なパーソナルコンピュータ上に実装された映像を再生可能な再生アプリケーションで実現する構成である。
【００２２】
映像要求部５０１及びアクセスキー入力部５０２は、それぞれソフトウェアとして実装されたモジュールである。
【００２３】
無論、ソフトウェアのプログラムコードを記録した記録媒体を供給し、そのシステムあるいは装置のコンピュータ（ＣＰＵ又はＭＰＵ）が記録媒体に格納されたプログラムコードを読み出し実行することによっても、映像再生装置として役を果たす。そのため、映像再生装置５００は、パーソナルコンピュータ以外の、例えばＰＤＡのような装置であっても構わない。
【００２４】
次に、本実施形態におけるネットワークカメラシステムの動作を、図５を用いて説明する。図５は、本実施形態におけるネットワークカメラシステムの動作シーケンスを示す図である。
【００２５】
図５のステップＳ１０１からＳ１１６まで順に説明する。まず、利用者１００は、複写機３００に原稿を置き、コピーの開始を指示する（ステップＳ１０１）。すると、複写機３００のジョブ識別子発行部３０７は、ジョブを識別する文字列であるジョブ識別子を発行する（ステップＳ１０２）。続けて、アクセスキー発行部３０５は、ステップＳ１０２で発行されたジョブ識別子と一意に関連付けられたアクセスキーを発行し（ステップＳ１０３）、アクセスキー表示部３０４により利用者１００にアクセスキーを提示する（ステップＳ１０４）。アクセスキー提示方法の例を図８に示す。図８の例では、アクセスキーとして「１２３４５」が提示されている。そして、複写機３００では、実際に原稿の複製を行うジョブを開始する（ステップＳ１０５）。ステップＳ１０３は、本発明の発行手段の一処理例である。ステップＳ１０５は、本発明のジョブ実行手段の一処理例である。
【００２６】
利用者１００は、映像再生装置５００のアクセスキー入力部５０２に、ステップＳ１０４で知り得たアクセスキーを入力する（ステップＳ１０６）。すると、映像再生装置５００の映像要求部５０１は、ネットワークカメラ４００の通信インタフェース４０２を呼び出し、映像を要求する。このとき、映像要求部５０１は、ステップＳ１０６で利用者１００から受け取ったアクセスキーをネットワークカメラ４００に受け渡す（ステップＳ１０７）。ネットワークカメラ４００がアクセスキーを入力する処理は、本発明の入力手段の一処理例である。
【００２７】
ネットワークカメラ４００のアクセスキーの有効無効問い合わせ部４０３は、複写機３００の通信インタフェース３０２を呼び出す。そしてアクセスキーの有効無効問い合わせ部４０３は、ステップＳ１０７で受け取ったアクセスキーを複写機３００に受け渡し、アクセスキーが有効であるかどうかを問い合わせる（ステップＳ１０８）。ステップＳ１０８は、本発明の問い合わせ手段の一処理例である。複写機３００がステップＳ１０８の問い合わせを受け付ける処理は、本発明の問い合わせ受付手段の一処理例である。
【００２８】
複写機３００は、アクセスキー有効無効判定部３０６を動作させ、アクセスキーと関連付けられたジョブ識別子のジョブの状態をジョブ管理部３０８が判断する（ステップＳ１０９）。アクセスキー有効無効判定部３０６は、ジョブ実施中であれば、アクセスキーが有効であることを、ジョブ実施中でなければアクセスキーが有効でないことをネットワークカメラ４００に通知する（ステップＳ１１０）。ステップＳ１０９の動作の詳細については図１０を用いて説明する。ステップＳ１０９は、本発明の判断手段の一処理例である。ステップＳ１１０は、本発明の応答手段の一処理例である。ステップＳ１１０の通知をネットワークカメラ４００が受け付ける処理は、本発明の問い合わせ結果受付手段の一処理例である。
【００２９】
ネットワークカメラ４００は、ステップＳ１１０でアクセスキーが有効であった場合には、アクセスキー管理部４０５でアクセスキーが有効であるという情報を保持する。そして、ネットワークカメラ４００は、ステップＳ１０７で映像（画像データ）の要求をした映像再生装置５００に映像を送信する（ステップＳ１１１）。映像再生装置５００は映像を再生し、利用者１００は映像を閲覧する（ステップＳ１１２）。ステップＳ１１１は、本発明の送信手段の一処理例である。
【００３０】
ステップＳ１１３において、ステップＳ１０１で開始した複写機３００におけるジョブが終了する（ステップＳ１１３）。すると、複写機３００の状態変更通知部３０９は、ステップＳ１０８でネットワークカメラ４００のメッセージ受信部４０４に、通信インタフェース４０２を介してアクセスキーの状態変更としてアクセスキーの無効を通知する（ステップＳ１１４）。ネットワークカメラ４００のアクセスキー管理部４０５は、アクセスキーの状態を「無効」として保持する。この時点でネットワークカメラ４００は映像の送出をやめる。そして、複写機３００のアクセスキー発行部３０５は、ステップＳ１０３で発行したアクセスキーを破棄する（ステップＳ１１５）。利用者１００は原稿と印刷物とを回収し、終了する（ステップＳ１１６）。
【００３１】
複写機３００のアクセスキー有効無効判定部３０６がアクセスキーを有効とする期間を、図１０を用いて説明する。図１０において横軸ｔは時間の流れである。また、時間軸ｔ上で時刻ｔ１０１は、図５のステップＳ１０１で利用者１００がジョブを登録した時刻である。同様に、時刻ｔ１０２は、ステップＳ１０５でジョブを開始した時刻である。時刻ｔ１０３は、ステップＳ１１３でジョブを終了した時刻である。
【００３２】
本実施形態では、アクセスキー有効無効判定部３０６は、ジョブ管理部３０８にジョブが実行中であるかどうかを問い合わせ、実行中の期間であればアクセスキーを有効、実行中の期間でなければアクセスキーを無効と判定する。つまり、図１０において、アクセスキーが有効であるかどうか問い合わされた時刻が、時刻ｔ１０２から時刻ｔ１０３までの間である場合にのみ、複写機３００はアクセスキーが有効であると返答する。また、時刻ｔ１０３において、ステップＳ１１４に示した、複写機３００からネットワークカメラ４００へのアクセスキーの無効通知が行われる。
【００３３】
次に、ネットワークカメラ４００のアクセス管理部４０６の動作について説明する。図１１は、ネットワークカメラ４００のアクセス管理部４０６の動作を示すフローチャートである。
【００３４】
まず、アクセスキーの有効無効問い合わせ部４０３は、複写機３００にアクセスキーが有効かどうかを問い合わせる（ステップＳ１２０１）。ステップＳ１２０１は、図５のステップＳ１０８そのものである。
【００３５】
次に、アクセス管理部４０６は、ステップＳ１２０１で問い合わせた結果を判断し（ステップＳ１２０２）、アクセスキーが「有効」である場合、アクセスキー管理部４０５はアクセスキーの状態を「有効」であるとして情報を保持する（ステップＳ１２０３）。一方、アクセス管理部４０６は、ステップＳ１２０２の時点でアクセスキーが無効であった場合は処理を終了する。
【００３６】
以降、ステップＳ１２０４では、アクセス管理部４０６は、複写機３００からのアクセスキー無効通知があるまで待つ。ステップＳ１１４にてメッセージ受信部４０４が複写機３００からアクセスキーの無効の通知を受けると、アクセスキー管理部４０５はアクセスキーの状態を「無効」として情報を保持する。
【００３７】
図９は、ネットワークカメラ４００が利用者１００からのリクエストに対して映像を送出するか否かを判断する際の処理の流れを示すフローチャートである。ネットワークカメラ４００は、ステップＳ９１において、アクセスキーが有効であるかどうかを確認する。アクセスキーが有効である期間中、ネットワークカメラ４００は映像を送出する処理（ステップＳ９２）と、ステップＳ９１のアクセスキーの判定処理とを繰り返し実行する。一方、アクセスキーが無効となると、ネットワークカメラ４００は映像の送出を終了する（ステップＳ９３）。なお、図９に示す処理は、本発明の制御手段の一処理例である。
【００３８】
以上より、利用者のみが、複写機周辺を撮影した映像を当該利用者のジョブ実行中の間だけライブで閲覧できるシステムを実現することができる。
【００３９】
なお、コピーを行う利用者が、自身のアクセスキーを他人に教えることで、利用者以外が映像を閲覧することも可能であるが、この場合も、利用者は自らアクセスキーを教える行為を行わなくてはならない。つまり、課題である誰に見られているかわからない状態には該当しない。
【００４０】
さらには、上述した実施形態では、複写機３００、ネットワークカメラ４００及び映像再生装置５００をＬＡＮで接続しているが、言うまでもなく、それぞれが通信可能であれば、ＬＡＮ以外の他の方法でも構わない。例えば、複写機３００とネットワークカメラ４００は同一筐体内にあるデータバスであってもよいし、ネットワークカメラ４００と映像再生装置５００の間は、シリアル通信であっても本発明の目的は達成される。然るに、複写機３００及びネットワークカメラ４００を同一筐体に納めてデータバスで接続する構成を採ることも可能である。
【００４１】
＜第２の実施形態＞
次に、本発明の第２の実施形態について説明する。
第２の実施形態は、上述した第１の実施形態の変形例である。第１の実施形態と第２の実施形態との相違は、複写機３００のジョブ管理部３０８がタイマの機能を併有すること、アクセスキー有効無効判定部３０６の判定基準、及び、アクセスキーの無効を通知するタイミングである。
【００４２】
本実施形態における複写機３００のアクセスキー有効無効判定部３０６がアクセスキーを有効とする期間を、図１２を用いて説明する。図１２において横軸ｔは時間の流れである。また、時間軸ｔ上で時刻ｔ１０１は、図５のステップＳ１０１で利用者がジョブを登録した時刻である。同様に、時刻ｔ１０２は、ステップＳ１０５でコピー処理が開始した時刻である。時刻ｔ１０３は、ステップＳ１１３でジョブが終了した時刻である。本実施形態では、ジョブ管理部３０８のタイマに予め一定時間ｔ１１５を設定し、ジョブが終了した時刻ｔ１０３から時間ｔ１１５だけ経過した時刻ｔ１１４をジョブ管理部３０８が検出できるようにする。
【００４３】
本実施形態では、アクセスキー有効無効判定部３０６は、ジョブの実行開始の時点の時刻ｔ１０２から、タイマによってジョブの実行終了の時点から時間ｔ１１５の経過が計測された時点の時刻ｔ１１４までの間に、アクセスキーが有効であるかどうか問い合わせがあった場合にのみアクセスキーが有効であると返答する。また、ステップＳ１１４のアクセスキーの無効通知は時刻ｔ１１４で行う。
【００４４】
これにより、ジョブが終了して即座に映像の送出が停止するのではなく、一定時間ｔ１１５の閲覧可能時間が延長されるシステムを構築できる。然るに、第１の実施形態の効果に加えて、印刷終了後のわずかの時間に持ち去りやのぞき見が起きたときに、これを見逃す危険を軽減する効果を得ることができる。
【００４５】
以上のように、上述した実施形態においては、複写機周辺を撮影した映像を、利用者のみがジョブが実行中の間だけライブで閲覧できるシステムを提供することができる。従って、複写機に原稿をセットしてコピーを行う際、利用者が感じる原稿ののぞき見や持ち去りの不安を軽減し、利用者が一時的に複写機の前から離れることができるようになる。
【００４６】
上述した本発明の実施形態を構成する各手段及び各ステップは、コンピュータのＲＡＭやＲＯＭ等に記憶されたプログラムが動作することによって実現できる。このプログラム及び前記プログラムを記録したコンピュータ読み取り可能な記録媒体は本発明に含まれる。
【００４７】
また、本発明は、例えば、システム、装置、方法、プログラムもしくは記録媒体等としての実施形態も可能であり、具体的には、一つの機器からなる装置に適用してもよい。
【００４８】
なお、本発明は、上述した実施形態の機能を実現するソフトウェアのプログラムを、システム又は装置に直接、又は遠隔から供給する。そして、そのシステム又は装置のコンピュータが前記供給されたプログラムコードを読み出して実行することによっても達成される場合を含む。
【００４９】
従って、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等の形態であってもよい。
【００５０】
また、コンピュータが、読み出したプログラムを実行することによって、前述した実施形態の機能が実現される。更に、そのプログラムの指示に基づき、コンピュータ上で稼動しているＯＳ等が、実際の処理の一部又は全部を行い、その処理によっても前述した実施形態の機能が実現され得る。
【００５１】
更に、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵ等が実際の処理の一部又は全部を行い、その処理によっても前述した実施形態の機能が実現される。
【図面の簡単な説明】
【００５２】
【図１】本発明の実施形態に係るネットワークカメラシステムの構成を示す図である。
【図２】複写機が複写に関する機能以外に備えるモジュール構成を示す図である。
【図３】ネットワークカメラが備える機能のうち、カメラ機能である撮影及び映像送出機能以外のモジュールを示す図である。
【図４】映像再生装置のモジュール構成を示す図である。
【図５】本発明の実施形態におけるネットワークカメラシステムの動作シーケンスを示す図である。
【図６】複写機の通信インタフェースを説明するための図である。
【図７】ネットワークカメラの通信インタフェースを説明するための図である。
【図８】アクセスキー提示方法の例を示す図である。
【図９】ネットワークカメラが利用者からのリクエストに対して映像を送出するかしないかを判断する際の処理の流れを示すフローチャートである。
【図１０】本発明の第１の実施形態における複写機のアクセスキー有効無効判定部がアクセスキーを有効とする期間を説明するための図である。
【図１１】本発明の第２の実施形態における複写機のアクセスキー有効無効判定部がアクセスキーを有効とする期間を説明するための図である。
【図１２】ネットワークカメラのアクセス管理部の動作を示すフローチャートである。
【符号の説明】
【００５３】
１００  利用者
３００  複写機
４００  ネットワークカメラ
５００  映像再生装置
３０１  通信ポート
３０２  通信インタフェース
３０３  アクセス管理部
３０４  アクセスキー表示部
３０５  アクセスキー発行部
３０６  アクセスキー有効無効判定部
３０７  ジョブ識別子発行部
３０８  ジョブ管理部
３０９  状態変更通知部
４０１  通信ポート
４０２  通信インタフェース
４０３  アクセスキーの有効無効問い合わせ部
４０４  メッセージ受信部
４０５  アクセスキー管理部
４０６  アクセス管理部
５０１  映像要求部
５０２  アクセスキー入力部
【図１】
2009010506.tif 000003
【図２】
2009010506.tif 000004
【図３】
2009010506.tif 000005
【図４】
2009010506.tif 000006
【図５】
2009010506.tif 000007
【図６】
2009010506.tif 000008
【図７】
2009010506.tif 000009
【図８】
2009010506.tif 000010
【図９】
2009010506.tif 000011
【図１０】
2009010506.tif 000012
【図１１】
2009010506.tif 000013
【図１２】
2009010506.tif 000014